(57)【要約】【課題】樹脂バックドアの製造コストを低減する。【解決手段】インナパネル１０に接着剤を塗布した後、インナパネル１０とアウタパネル２０，３０とを重ね合わせ、アウタパネル３０の上面部３４（第１領域）を車体上下方向から押さえ部材４７（第１の治具）で押さえると共に、アウタパネル３０のスポイラ３３（第２領域）を車体前後方向から押さえ部材６４（第２の治具）で押さえることで、アウタパネル３０とインナパネル１０との相対位置を保持する。その後、押さえ部材６４をアウタパネル３０から取り外し、押さえ部材４７でアウタパネル３０の上面部３４を押さえた状態で、インナパネル１０及びアウタパネル３０を加熱して接着剤を硬化させる。【選択図】図９
2018197016.tif 000002
【特許請求の範囲】
【請求項１】
樹脂製のインナパネルと樹脂製のアウタパネルとを接合してなる車体の樹脂パネル部品の製造方法であって、
前記インナパネル及び前記アウタパネルの少なくとも一方に接着剤を塗布する工程と、
前記インナパネルと前記アウタパネルとを重ね合わせ、前記アウタパネルの第１領域を、該第１領域の厚さ方向と略平行な方向から第１の治具で押さえると共に、前記アウタパネルの第２領域を、前記第１領域の厚さ方向と略直交する方向から第２の治具で押さえることで、前記アウタパネルと前記インナパネルとの相対位置を保持する工程と、
前記第２の治具を前記アウタパネルから取り外し、前記第１の治具で前記アウタパネルの第１領域を押さえた状態で、前記インナパネル及び前記アウタパネルを加熱して接着剤を硬化させる工程とを有する樹脂パネル部品の製造方法。
【発明の詳細な説明】
【技術分野】
【０００１】
本発明は、樹脂製のインナパネルと樹脂製のアウタパネルとを接合してなる車体の樹脂パネル部品の製造方法に関する。
【背景技術】
【０００２】
車体を構成するパネル部品（バックドア等）は、通常、鋼板で形成されるが、これを樹脂で形成することで、車体を軽量化して低燃費化を図ることがある。このような樹脂製のパネル部品は、樹脂製のインナパネルと樹脂製のアウタパネルとを接着して組み立てられる（下記の特許文献１参照）。
【先行技術文献】
【特許文献】
【０００３】
【特許文献１】特開２０１５−１６６２４５号公報
【発明の概要】
【発明が解決しようとする課題】
【０００４】
インナパネルとアウタパネルとを接着するにあたっては、両パネルを互いに位置決めする必要がある。通常、パネルの延在方向の位置決めは、一方のパネルに設けた位置決めピンと他方のパネルに設けた位置決め穴とを嵌合することにより行い、パネルの厚さ方向の位置決めは、アウタパネルを治具で押さえることにより行うことが多い。
【０００５】
しかし、パネル部品の形状によっては、アウタパネル及びインナパネルに位置決めピン等を設けることが難しい場合がある。例えば、図１２に示すバックドアでは、アウタパネル１０１の上端に、車体後方側（図中左側）に突出したスポイラ１０１ａと、スポイラ１０１ａの上端から車体前方側（図中右側）に延びる上面部１０１ｂが設けられる。このようなアウタパネル１０１のスポイラ１０１ａや上面部１０１ｂに位置決めピンや位置決め穴を設けることは困難であるため、上面部１０１ｂの位置決めは、治具で直交２方向から押さえることで行われる。具体的には、アウタパネル１０１のスポイラ１０１ａを第１の治具１１０で車体後方側から押し込んで、アウタパネル１０１をインナパネル１０２に対して車体前後方向で位置決めすると共に、アウタパネル１０１の上面部１０１ｂを第２の治具１２０で車体下方側に押し込んで、アウタパネル１０１をインナパネル１０２に対して車体上下方向で位置決めする。このように、両治具１１０，１２０でアウタパネル１０１を押さえた状態のまま、インナパネル１０２及びアウタパネル１０１を両治具１１０，１２０と共に加熱炉に投入して加熱することで、接着剤Ｇが硬化される。
【０００６】
しかし、この場合、第１の治具１１０及び第２の治具１２０を、乾燥炉に投入されるワークと同じ数だけ用意する必要があるため、治具の数が多くなって製造コストが高くなる。
【０００７】
そこで、本発明が解決すべき課題は、樹脂パネル部品の製造コストを低減することにある。
【課題を解決するための手段】
【０００８】
前記課題を解決するために、本発明は、樹脂製のインナパネルと樹脂製のアウタパネルとを接合してなる車体の樹脂パネル部品の製造方法であって、前記インナパネル及び前記アウタパネルの少なくとも一方に接着剤を塗布する工程と、前記インナパネルと前記アウタパネルとを重ね合わせ、前記アウタパネルの第１領域を、該第１領域の厚さ方向と略平行な方向から第１の治具で押さえると共に、前記アウタパネルの第２領域を、前記第１領域の厚さ方向と略直交する方向から第２の治具で押さえることで、前記アウタパネルと前記インナパネルとの相対位置を保持する工程と、前記第２の治具を前記アウタパネルから取り外し、前記第１の治具で前記アウタパネルの第１領域を押さえた状態で、前記インナパネル及び前記アウタパネルを加熱して接着剤を硬化させる工程とを有する樹脂パネル部品の製造方法を提供する。
【０００９】
このように、本発明では、第１の治具及び第２の治具でアウタパネルを直交２方向から押し込んで、アウタパネルとインナパネルとの相対位置を保持した後、第２の治具をアウタパネルから取り外す。このとき、アウタパネルの第１領域を第１の治具で押さえることにより、第１領域の厚さ方向と略平行な方向（例えば車体上下方向）における位置が保持されると共に、第１の治具とアウタパネルの第１領域との摩擦力により、第１領域の厚さ方向と略直交する方向（例えば車体前後方向）における位置が保持される。こうして第２の治具を取り外した後、両パネルを乾燥工程に搬入することにより、第２の治具が、乾燥工程に搬入されることないため、製造ライン全体における第２の治具の数を減らして低コスト化を図ることができる。特に、アウタパネルから取り外した第２の治具を、次に送られてくるワークのアウタパネルに装着すれば、第２の治具は１個だけで済むため、製造コストを大幅に低減することができる。
【発明の効果】
【００１０】
以上のように、本発明によれば、樹脂パネル部品の製造ラインで用意すべき治具の数を減らすことができるため、製造コストを低減することができる。
【図面の簡単な説明】
【００１１】
【図１】バックドアの製造工程のフロー図である。
【図２】（Ａ）は、インナパネルを車体後方側から見た正面図であり、（Ｂ）は（Ａ）図のＢ−Ｂ断面図である。
【図３】下治具の平面図である。
【図４】平置きしたインナパネルの上にロアアウタパネルを重ねた状態を示す平面図である。
【図５】（Ａ）は図４のＡ−Ａ断面図、（Ｂ）は同Ｂ−Ｂ断面図、（Ｃ）は同Ｃ−Ｃ断面図、（Ｄ）は同Ｄ−Ｄ断面図である。
【図６】（Ａ）は、平置きしたインナパネルの上にロアアウタパネル及びアッパアウタパネルを重ねた状態を示す平面図であり、（Ｂ）は（Ａ）図のＢ−Ｂ断面図である。
【図７】（Ａ）はロア上治具の下面図であり、（Ｂ）は同側面図である。
【図８】ロアアウタパネル及びアッパアウタパネルを押さえ部材で押さえた状態を示す平面図である。
【図９】（Ａ）は図８のＡ−Ａ断面図、（Ｂ）は同Ｂ−Ｂ断面図、（Ｃ）は同Ｃ−Ｃ断面図である。
【図１０】図８をＸ方向からみた側面図である。
【図１１】（Ａ）はアッパ上治具の下面図であり、（Ｂ）は同側面図である。
【図１２】アウタパネルを治具で直交２方向から押さえた状態の比較例を示す断面図である。
【発明を実施するための形態】
【００１２】
以下、本発明の実施の形態を図面に基づいて説明する。
【００１３】
本実施形態では、車体の樹脂パネル部品としての樹脂バックドアを、図１に示す工程に沿って製造する場合を説明する。具体的には、まず、アウタパネル及びインナパネルをそれぞれ樹脂で射出成形する（ステップＳ１ａ，Ｓ２ａ）。アウタパネルは、強化材を含まない樹脂で形成され、例えばポリプロピレン（ＰＰ）で形成される。インナパネルは、強化材を含む樹脂材料で形成され、例えばガラス繊維を含むポリプロピレン（ＰＰ）で形成される。インナパネルの樹脂材料におけるガラス繊維の配合比は、例えば３０ｗｔ％以上とされる。
【００１４】
アウタパネルは、塗装が施され（ステップＳ１ｂ）、その後、接着面にプライマ塗料が塗布される（ステップＳ１ｃ）。一方、インナパネルは、接着面にコロナ処理やプラズマ処理等の前処理が施され（ステップＳ２ｂ）、さらに接着面にプライマ塗料が塗布される（ステップＳ２ｃ）。その後、インナパネルに各種部品が組み付けられる（ステップＳ２ｄ）。
【００１５】
そして、図示しない塗布装置（例えば塗布ロボット）により、インナパネルの接着面に接着剤が塗布される（ステップＳ２ｅ）。本実施形態では、図２（Ａ）に示すように、インナパネル１０の外周部の全周に接着面１１が設けられると共に、インナパネル１０の窓穴Ｗの周囲の全周に接着面１２が設けられ、これらの接着面１１，１２の全周に接着剤Ｇが連続的に塗布される。インナパネル１０は、窓穴Ｗを囲むガラス装着領域１０Ａと、ガラス装着領域１０Ａの下方に設けられた下部領域１０Ｂと、ガラス装着領域１０Ａの上方に設けられた上部領域１０Ｃとを備える。接着面１１のうち、ガラス装着領域１０Ａ及び下部領域１０Ｂに設けられた領域は概ね車体後方側｛図２（Ａ）の紙面手前側｝に臨んでおり、上部領域１０Ｃに設けられた接着面１１は概ね車体上方側に臨んでいる｛図２（Ｂ）参照｝。尚、接着剤Ｇは、上記のようにインナパネルに塗布する他、アウタパネルに塗布したり、インナパネル及びアウタパネルの双方に塗布してもよい。
【００１６】
その後、インナパネルとアウタパネルとを接着剤を介して重ね合わせた状態で治具にセットする（図１のステップＳ３）。そして、インナパネル及びアウタパネルを治具ごと加熱装置に投入し、接着剤を硬化させる（ステップＳ４）。こうして接合されたインナパネル及びアウタパネルの一体品に各種部品を組み付ける（ステップＳ５）。そして、アウタパネルの意匠面の歪みの有無等を検査し（ステップＳ６）、検査工程で不具合が見つかった場合は、バフ仕上げ等の手直し工程を施す（ステップＳ７）。そして、良品と判定された製品が出荷される（ステップＳ８）。
【００１７】
以下、上記の工程のうち、インナパネルとアウタパネルとを重ね合わせて接着する工程（ステップＳ３）を詳しく説明する。
【００１８】
まず、接着剤Ｇが塗布されたインナパネル１０（図２参照）を、図３に示す下治具４０にセットする。具体的には、インナパネル１０を、車体前方側の面を下方に向けて略水平にした状態で、下治具４０の上に載置する。詳しくは、インナパネル１０に設けられた穴（図示省略）に下治具４０に設けられた位置決めピン（図示省略）を挿入しながら、インナパネル１０を複数の支持部４１の上に載置する。このとき、インナパネル１０が、位置決めピンにより車幅方向及び車体上下方向（図２の左右及び上下方向）で位置決めされると共に、支持部４１により車体前後方向（図２の紙面直交方向）で位置決めされる。
【００１９】
インナパネル１０の車体前方側の面｛図２（Ａ）の紙面裏側の面｝には、他部材が取り付けられる取付面が設けられる。本実施形態では、インナパネル１０に、取付面として、ヒンジ取付面１４及びクッションゴム取付面１５ａ，１５ｂが設けられる。ヒンジ取付面１４は、インナパネル１０の上部領域１０Ｃの車幅方向に離隔した２箇所に設けられる。クッションゴム取付面１５ａは、インナパネル１０のガラス装着領域１０Ａの車幅方向両端付近に設けられ、特に、インナパネル１０の外周に設けられた接着面１１のコーナー部Ｃ１付近に設けられる。クッションゴム取付面１５ｂは、インナパネル１０の下部領域１０Ｂの車幅方向両端付近に設けられ、特に、インナパネル１０の外周に設けられた接着面１１のコーナー部Ｃ２付近に設けられる。ヒンジ取付面１４及びクッションゴム取付面１５ａ，１５ｂは、接着面１１，１２とは異なる領域に設けられ、図示例では接着面１１，１２の間の領域に設けられる。
【００２０】
図３に示すように、下治具４０の支持部４１は、インナパネル１０のヒンジ取付面１４及びクッションゴム取付面１５ａ，１５ｂを支持する位置に設けられる。すなわち、インナパネル１０を下治具４０にセットした状態では、インナパネル１０のうち、ヒンジ取付面１４及びクッションゴム取付面１５ａ，１５ｂのみが支持部４１により下方から支持され、その他の領域は下方から支持されていない。
【００２１】
次に、図４に示すように、インナパネル１０の上にロアアウタパネル２０を載置する（図４では、下治具４０の図示は省略している）。ロアアウタパネル２０は、窓穴Ｗの下半分を囲むガラス装着領域２０Ａと、ガラス装着領域２０Ａの下方に設けられた意匠面領域２０Ｂとを有する。ガラス装着領域２０Ａは、意匠面領域２０Ｂよりも車体前方側（紙面奥側）に一段低くなっている。意匠面領域２０Ｂにはキャラクタライン（屈曲線）が設けられ、図示例では、谷形状（凹状）に屈曲したキャラクタラインＣＬ１と、山形状（凸状）に屈曲したキャラクタラインＣＬ２とが設けられる（図１０参照）。
【００２２】
インナパネル１０の上にロアアウタパネル２０を載置するとき、図５（Ａ）に示すように、ロアアウタパネル２０のガラス装着領域２０Ａに設けられた穴２１に、インナパネル１０のガラス装着領域１０Ａに設けられたボス１６が挿入される。これにより、ロアアウタパネル２０がインナパネル１０に対して車幅方向及び車体上下方向で位置決めされる。このとき、インナパネル１０に設けられたネジ穴１７とロアアウタパネル２０に設けられた穴２２とが同軸上に配される。ロアアウタパネル２０は、インナパネル１０の接着面１１，１２に塗布された接着剤Ｇの上に載置されており、インナパネル１０とロアアウタパネル２０の意匠面領域２０Ｂとは全域で非接触の状態となっている。
【００２３】
そして、作業者が、ロアアウタパネル２０の意匠面領域２０Ｂを手で下方（インナパネル１０側）に押し込むことにより、ロアアウタパネル２０の意匠面領域２０Ｂとインナパネル１０の下部領域１０Ｂとが係合手段により結合される。本実施形態では、図４及び図５（Ｂ）に示すように、ロアアウタパネル２０の略中央部に凹部２５が設けられ、この凹部２５に、インナパネル１０側に突出した爪２３及びボス２４が設けられる。作業者がロアアウタパネル２０の凹部２５を下方に押し込むことにより、ロアアウタパネル２０の爪２３がインナパネル１０の穴に挿入される。これにより、爪２３とインナパネル１０とが係合し、ロアアウタパネル２０の意匠面領域２０Ｂとインナパネル１０の下部領域１０Ｂとが結合される。このとき、ロアアウタパネル２０のボス２４が、インナパネル１０に設けられた穴に嵌合することで、ロアアウタパネル２０がインナパネル１０に対して車幅方向で位置決めされる。
【００２４】
上記のように作業者がロアアウタパネル２０を下方に押し込んだときに、インナパネル１０とロアアウタパネル２０とが接触して両パネル１０，２０の間に介在した接着剤Ｇが途切れてしまうおそれがある。本実施形態では、インナパネル１０の接着面１１，１２の縁に沿って、ロアアウタパネル２０側に突出したリブ１８が設けられている。具体的に、インナパネル１０のガラス装着領域１０Ａでは、図５（Ａ）に示すように、接着面１１，１２の両側の縁に沿って、ロアアウタパネル２０側に突出したリブ１８が設けられる。インナパネル１０の下部領域１０Ｂでは、図５（Ｃ）（Ｄ）に示すように、接着面１１の外側の縁に沿ってリブ１８が設けられる。インナパネル１０とロアアウタパネル２０とが接近したとき、上記のリブ１８とロアアウタパネル２０とが当接することにより、インナパネル１０の接着面１１，１２とロアアウタパネル２０との間に車体前後方向の隙間が確保されるため、この隙間に接着剤Ｇを確実に保持することができる。
【００２５】
次に、図６に示すように、インナパネル１０の上にアッパアウタパネル３０を載置する（図６では、下治具４０の図示は省略している）。アッパアウタパネル３０は、窓穴Ｗの上半分を囲むガラス装着領域３０Ａと、ガラス装着領域３０Ａの上方に設けられた意匠面領域３０Ｂとを有する。図６（Ｂ）に示すように、意匠面領域３０Ｂには、車体後方側に膨出するように湾曲したスポイラ３３（第２領域）と、スポイラ３３の上端から車体前方側に延びる上面部３４（第１領域）とが設けられる。意匠面領域２０Ｂのスポイラ３３の下端から車体下方に延びる領域が、ガラス装着領域３０Ａとなる。
【００２６】
インナパネル１０の上にアッパアウタパネル３０を載置するとき、図５（Ａ）に示す場合と同様に、アッパアウタパネル３０のガラス装着領域３０Ａに設けられた穴３１に、インナパネル１０のガラス装着領域１０Ａに設けられたボスが挿入される。これにより、アッパアウタパネル３０がインナパネル１０に対して車幅方向及び車体上下方向で位置決めされる。このとき、インナパネル１０に設けられたネジ穴とアッパアウタパネル３０に設けられた穴３２とが同軸上に配される。図６（Ｂ）に示すように、インナパネル１０の上部領域１０Ｃには、アッパアウタパネル３０とインナパネル１０との間の接着隙間を確保するために、接着面１１の外側の縁に沿ってリブ１８が設けられる。
【００２７】
その後、ロアアウタパネル２０及びアッパアウタパネル３０のガラス装着領域２０Ａ，３０Ａと、インナパネル１０のガラス装着領域１０Ａが、係合手段により結合される。本実施形態では、アウタパネル２０，３０の穴２２，３２を介して、インナパネル１０のガラス装着領域１０Ａのネジ穴１７｛図５（Ａ）参照｝に、係合手段としてのネジを締結することで、アウタパネル２０，３０のガラス装着領域２０Ａ，３０Ａとインナパネル１０のガラス装着領域１０Ａとが結合される。その後、アウタパネル２０，３０のガラス装着領域２０Ａ，３０Ａに、接着剤が塗布されたガラスを載置する（図示省略）。このとき、アウタパネル２０，３０のガラス装着領域２０Ａ，３０Ａは、ガラスの非透明部で覆われるため、外部から見えない状態となる。
【００２８】
上記のようにインナパネル１０とアウタパネル２０，３０とをネジで結合した状態において、ロアアウタパネル２０の意匠面領域２０Ｂとインナパネル１０との接着領域Ｐ１では、両パネル１０，２０がほぼ全域で非接触とされる。具体的には、図５（Ｃ）に示すように、ロアアウタパネル２０の意匠面領域２０Ｂとインナパネル１０の下部領域１０Ｂのリブ１８との間には、ほぼ全域において車体前後方向の隙間Ｓが形成される。一方、インナパネル１０の下部領域１０Ｂのリブ１８の一部領域には、他の領域よりもさらにロアアウタパネル２０側に突出した突出部１８ａが設けられる（図１０参照）。この突出部１８ａが、図５（Ｄ）に示すように、ロアアウタパネル２０のうち、キャラクタラインＣＬ１付近の領域に当接する。
【００２９】
また、アッパアウタパネル３０の意匠面領域３０Ｂとインナパネル１０との接着領域Ｐ２では、両パネル１０，３０がほぼ全域で非接触とされ、図示例では全域で非接触とされる。具体的には、図６（Ｂ）に示すように、アッパアウタパネル３０の上面部３４とインナパネル１０の上部領域１０Ｃのリブ１８との間には、車体上下方向の隙間が形成される。
【００３０】
次に、図７に示すロア上治具５０を下治具４０（図３参照）に装着する。ロア上治具５０は、フレーム５１と、フレーム５１の四隅に設けられた脚部５２と、位置決め部材５３と、押さえ部材５４とを備える。ロア上治具５０を降下させて、位置決め部材５３の穴５３ａに下治具４０の位置決めピン４３（図３参照）を挿入しながら、ロア上治具５０の脚部５２を下治具４０の載置台４４（図３参照）の上に載置する。これにより、図８に示すように、ロア上治具５０に設けられた押さえ部材５４が、ロアアウタパネル２０の意匠面領域２０Ｂの外周部を上方から押さえ、所定の位置まで押し込む（図８では、下治具４０の一部の図示を省略している）。ロアアウタパネル２０の意匠面のうち、両パネル１０，２０の接着領域Ｐ１が押さえ部材５４で押さえられる。ただし、ロアアウタパネル２０の意匠面のキャラクタラインＣＬ１，ＣＬ２付近は、押さえ部材５４で押さえられていない。押さえ部材５４によるロアアウタパネル２０の押し込み量は、ロア上治具５０の脚部５２と下治具４０の載置台４４との間にシム（図示省略）を介在させることで調整できる。この状態で、図示しないクランプ機構によりロア上治具５０と下治具４０とを固定する。
【００３１】
このとき、ロアアウタパネル２０の意匠面領域２０Ｂのうち、少なくとも押さえ部材５４で押さえられた領域の全域は、インナパネル１０と非接触の状態で保持される。具体的には、図９（Ｂ）に示すように、ロアアウタパネル２０の意匠面領域２０Ｂのうち、ロア上治具５０の押さえ部材５４で押さえられた領域は、所定の位置まで押し込まれる。このとき、ロアアウタパネル２０とインナパネル１０の接着面１１のリブ１８とは非接触の状態で保持され、これらの間に車体前後方向の隙間Ｓが維持される。一方、図９（Ｃ）に示すように、ロアアウタパネル２０の意匠面領域２０Ｂのうち、谷形状のキャラクタラインＣＬ１付近は、押さえ部材５４で押さえられておらず、インナパネル１０のリブ１８の突出部１８ａにより下方から支持されている。すなわち、ロアアウタパネル２０の意匠面２０Ｂのうち、インナパネル１０との接触領域Ｐ１は、インナパネル１０のリブ１８の凸部１８ａとの接触部を除いて、その他全域においてインナパネル１０と非接触とされる。
【００３２】
成形直後（接着前）のロアアウタパネル２０は、図１０に点線で誇張して示すように、成形収縮の影響によりキャラクタラインＣＬ１の両側の領域が所望の位置よりも立ち上がった状態となっている。従って、図１０に実線で示すように、ロアアウタパネル２０のうち、キャラクタラインＣＬ１付近をインナパネル１０のリブ１８の突出部１８ａで下方から支持した状態で、その両側の領域を押さえ部材５４で下方に押し込むことにより、ロアアウタパネル２０を所望の形状に矯正することができる。
【００３３】
次に、図１１に示すアッパ上治具６０を下治具４０（図３参照）に装着する。アッパ上治具６０は、フレーム６１と、フレーム６１の四隅に設けられた脚部６２と、位置決め部材６３と、押さえ部材６４とを備える。アッパ上治具６０を降下させて、位置決め部材６３の穴６３ａに下治具４０の位置決めピン４５（図３参照）を挿入しながら、アッパ上治具６０の脚部６２を下治具４０の載置台４６（図３参照）の上に載置する。これにより、アッパ上治具６０に設けられた押さえ部材６４が、アッパアウタパネル３０を上方から押さえ、所定の位置まで押し込む。本実施形態では、図９（Ａ）に示すように、アッパ上治具６０の押さえ部材６４（第２の治具）が、アッパアウタパネル３０のスポイラ３３（第２領域）を、上面部３４（第１領域）の厚さ方向と略直交する方向（図示例では車体前後方向）から押さえる｛図９（Ａ）の矢印（１）参照｝。このとき、アッパアウタパネル３０の意匠面領域３０Ｂとインナパネル１０の上部領域１０Ｃとは、全域で非接触の状態で保持される。押さえ部材６４によるアッパアウタパネル３０の押し込み量は、アッパ上治具６０の脚部６２と下治具４０の載置台４６との間にシム（図示省略）を介在させることで調整できる。以上により、アッパアウタパネル３０とインナパネル１０との車体前後方向での位置決めが行われる。この状態で、図示しないクランプ機構によりアッパ上治具６０と下治具４０とを固定する。
【００３４】
その後、下治具４０に設けられた押さえ部材４７で、アッパアウタパネル３０を水平方向に押し込む。具体的には、図８及び図９（Ａ）に示すように、押さえ部材４７（第１の治具）が、アッパアウタパネル３０の上面部３４（第１領域）を、上面部３４の厚さ方向と略平行な方向（図示例では車体上下方向）から押さえる｛図９（Ａ）の矢印（２）参照｝。これにより、アッパアウタパネル３０を、インナパネル１０に対して車体上下方向で位置決めする。図示例では、アッパアウタパネル３０の意匠面のうち、インナパネル１０との接着領域Ｐ２が押さえ部材４７で押さえられる。これにより、アッパアウタパネル３０の位置及び形状が矯正される。このとき、アッパアウタパネル３０の意匠面領域３０Ｂの全域が、インナパネル１０と非接触の状態で保持される。
【００３５】
以上により、インナパネル１０、ロアアウタパネル２０、及びアッパアウタパネル３０が、下治具４０、ロア上治具５０、及びアッパ上治具６０により保持される。その後、アッパ上治具６０を下治具４０から取り外す｛図９（Ａ）の矢印（３）参照｝。このとき、アッパアウタパネル３０の上面部３４が押さえ部材４７で車体上方側から押さえられていることにより、上面部３４が車体上下方向で保持されるだけでなく、押さえ部材４７との摩擦により上面部３４が車体前後方向でも保持される。従って、アッパ上治具６０を取り外しても、アッパアウタパネル３０とインナパネル１０との直交２方向（車体上下方向及び車体前後方向）における相対位置が保持される。特に、本実施形態では、アッパアウタパネル３０のガラス装着領域３０Ａとインナパネル１０のガラス装着領域１０Ａとが予めネジで結合されているため、アッパ上治具６０を取り外しても、アッパアウタパネル３０とインナパネル１０との相対位置を確実に保持することができる。
【００３６】
その後、インナパネル１０及びアウタパネル２０，３０が、下治具４０及びロア上治具５０に装着された状態で乾燥炉に投入され、加熱されることで、接着剤Ｇが硬化され、パネル部品（バックドア）が完成する。
【００３７】
このように、乾燥工程に搬入する前にアッパ上治具６０を取り外すことで、アッパ上治具６０の使用個数を削減してコストを低減することができる。本実施形態では、下治具４０及びロア上治具５０は、乾燥工程のタクトタイムを考慮して複数個設けられるが、アッパ上治具６０は１個だけ設けられ、アッパアウタパネル３０の車体前後方向の位置決めのためだけに用いられる。具体的には、アッパ上治具６０を下治具４０に装着してアッパアウタパネル３０の車体前後方向の位置決めを行い、下治具４０の押さえ部材４７でアッパアウタパネル３０の上面部３４を押さえた後、アッパ上治具６０を下治具４０から取り外して、次のワークの下治具４０に装着する。尚、アッパ上治具６０を複数個設けてもよく、この場合でも、アッパ上治具６０を乾燥工程に搬入しないことで、アッパ上治具６０の使用個数を従来よりも減らすことができる。
【００３８】
本実施形態では、上記のように、アウタパネル２０，３０の意匠面領域２０Ｂ，３０Ｂとインナパネル１０との接着領域Ｐ１，Ｐ２の挟持加圧を廃止し、接着領域Ｐ１，Ｐ２を、インナパネル１０側から支持することなく、アウタパネル２０，３０側のみから治具（押さえ部材５４，４７）で押さえるようにした（図９参照）。これにより、インナパネル１０が冶具により寸法矯正されることがないため、その後の乾燥工程における加熱温度を低くすることができ、例えば５０℃以下に設定することができる。また、押さえ部材５４，４７は、アウタパネル２０，３０のみを矯正する力で押し込めばよいため、押さえ部材５４，４７によるアウタパネル２０，３０の意匠面の加圧力を低くすることができる。以上のように、乾燥工程における加熱温度を低くすると共に、押さえ部材による意匠面の加圧力を低減することで、アウタパネル２０，３０の意匠面の歪みが抑えられるため、その後の検査工程及び手直し工程の工数が削減され、タクトタイムを短縮することができる。このようにバックドアの製造タクトタイムが短縮されることで、車体本体の製造途中（例えば塗装工程の終了時）にバックドアの製造を開始し、車体の組立工程で車体本体にバックドアを組み付ける、いわゆる順序生産を行うことも可能となる。
【００３９】
また、アウタパネル２０，３０のガラス装着領域２０Ａ，３０Ａは、寸法を高精度に管理する必要はないため、上治具５０，６０で押さえて矯正する必要がない。本実施形態では、アウタパネル２０，３０のガラス装着領域２０Ａ，３０Ａとインナパネル１０のガラス装着領域１０Ａとをネジで結合している。これにより、アウタパネル２０，３０のガラス装着領域２０Ａ，３０Ａを治具で押さえる必要がないため、アウタパネル２０，３０を押さえる上治具５０，６０を簡素化することができ、低コスト化が図られる。
【００４０】
本発明は、上記の実施形態に限られない。例えば、上記の実施形態では、アウタパネル３０の第２領域がスポイラ３３である場合を示したが、これに限らず、第２領域が、車体前後方向と略直交する略平坦面であってもよい。
【００４１】
また、上記の実施形態では、接着工程において、インナパネルとアウタパネルとの接着領域を下方から支持しない場合を示したが、これに限らず、従来のように両パネルの接着領域を挟持加圧する場合に、本発明を適用してもよい。
【符号の説明】
【００４２】
１０   インナパネル
１０Ａ ガラス装着領域
１０Ｂ 下部領域
１０Ｃ 上部領域
１１，１２    接着面
２０   ロアアウタパネル
２０Ａ ガラス装着領域
２０Ｂ 意匠面領域
３０   アッパアウタパネル
３０Ａ ガラス装着領域
３０Ｂ 意匠面領域
３３   スポイラ（第２領域）
３４   上面部（第１領域）
４０   下治具
４１   支持部
４７   押さえ部材（第１の治具）
５０   ロア上治具
５４   押さえ部材
６０   アッパ上治具
６４   押さえ部材（第２の治具）
Ｇ     接着剤
Ｐ１，Ｐ２    接着領域
Ｗ     窓穴
【図１】
2018197016.tif 000003
【図２】
2018197016.tif 000004
【図３】
2018197016.tif 000005
【図４】
2018197016.tif 000006
【図５】
2018197016.tif 000007
【図６】
2018197016.tif 000008
【図７】
2018197016.tif 000009
【図８】
2018197016.tif 000010
【図９】
2018197016.tif 000011
【図１０】
2018197016.tif 000012
【図１１】
2018197016.tif 000013
【図１２】
2018197016.tif 000014